(57)【特許請求の範囲】
【請求項１】
室外機および室内機を備えた空気調和機本体と通信手段を介して双方向通信を行う空気調和機のリモートコントローラであって、
前記空気調和機に関する各種指示や各種情報の入力操作を行うための操作部と、
前記各種情報を記憶する内部メモリと、
外部メモリの書き込みおよび読み出しを行う外部メモリインターフェース部と、
前記入力操作に応じて、前記内部メモリと前記外部メモリインターフェース部に接続された前記外部メモリとの間で前記各種情報を授受させる情報処理部と、
を備え、
前記情報処理部は、
一方の前記空気調和機に対応して設けられた一方のリモートコントローラにおいて、前記入力操作により設定された前記空気調和機の運転モード、設定風量、設定温度、および週間スケジュール設定を含む当該空気調和機の設定内容に関する設定情報を前記内部メモリに保存し、前記操作部からの設定情報格納指示に基づいて、前記内部メモリに保存された前記設定情報を前記外部メモリに格納し、
他方の前記空気調和機に対応して設けられた他方のリモートコントローラにおいて、前記操作部からの設定情報保存指示に基づいて、前記一方のリモートコントローラにより前記外部メモリに格納された前記設定情報を前記内部メモリに保存する
ことを特徴とする空気調和機のリモートコントローラ。
【請求項２】
前記情報処理部は、前記設定情報が前記入力操作により設定される毎に、当該設定情報を前記内部メモリに逐次保存し、前記設定情報格納指示により前記内部メモリから前記設定情報を読み出すと共に、当該設定情報を前記外部メモリに格納することを特徴とする請求項１に記載の空気調和機のリモートコントローラ。
【請求項３】
前記設定情報は、前記外部メモリとのインターフェースを有する外部編集機器を用いて、前記外部編集機器に導入されたソフトウェア、あるいは、前記外部編集機器にネットワークを介して接続されたホームページにより提供された設定情報例に基づいて作成あるいは編集可能であることを特徴とする請求項１または２に記載の空気調和機のリモートコントローラ。
【請求項４】
前記情報処理部は、前記空気調和機本体から所定間隔で受信した室内温度、外気温、風量、あるいは風向を含む前記空気調和機の運転状態を示す運転情報を前記外部メモリに逐次保存することを特徴とする請求項１から３のいずれか一項に記載の空気調和機のリモートコントローラ。
【請求項５】
前記情報処理部は、前記空気調和機本体から故障あるいはエラーが発生したことを示すエラー情報を受信した場合に、前記エラー情報を前記運転情報と共に前記外部メモリに格納することを特徴とする請求項４に記載の空気調和機のリモートコントローラ。
【請求項６】
前記情報処理部は、前記操作部からの仕様情報送信指示に基づいて、前記外部編集機器により作成されて前記外部メモリに格納された前記空気調和機の機種毎に固有の仕様情報を前記空気調和機に送信することを特徴とする請求項３から５のいずれか一項に記載の空気調和機のリモートコントローラ。
【請求項７】
前記情報処理部は、複数種の前記仕様情報のうち、前記仕様情報送信指示により指定された前記仕様情報を前記空気調和機に送信することを特徴とする請求項６に記載の空気調和機のリモートコントローラ。
【発明の詳細な説明】
【技術分野】
【０００１】
本発明は、空気調和機のリモートコントローラに関する。
【背景技術】
【０００２】
従来、空気調和機の運転に関するスケジュールの設定やその設定の保存は、リモートコントローラで行われている。例えば、設定に関するデータがあらかじめ格納されたＳＤカードをリモートコントローラに挿入し、データの読み出し装置でＳＤカードの内部のデータを読み出すことにより、リモートコントローラに機能を追加して空気調和機の設定を行う技術が開示されている（例えば、特許文献１）。
【先行技術文献】
【特許文献】
【０００３】
【特許文献１】特開２００７−１９８７０４号公報
【発明の概要】
【発明が解決しようとする課題】
【０００４】
しかしながら、上記従来技術では、リモートコントローラで設定した空気調和機の設定内容を、他の空気調和機のリモートコントローラに反映させることができない。このため、複数の空気調和機、あるいは複数の空気調和機グループに同様の設定を行う必要がある場合には、それぞれに対応しているリモートコントローラにより、個別に設定を行わなければならず、その設定作業に時間がかかり煩わしい、という問題点があった。
【０００５】
本発明は、上記に鑑みてなされたものであって、複数台の空気調和機の設定を容易とし、その設定に要する時間を短縮することを可能とする空気調和機のリモートコントローラを提供することを目的とする。
【課題を解決するための手段】
【０００６】
上述した課題を解決し、目的を達成するため、本発明にかかる空気調和機のリモートコントローラは、室外機および室内機を備えた空気調和機本体と通信手段を介して双方向通信を行う空気調和機のリモートコントローラであって、前記空気調和機に関する各種指示や各種情報の入力操作を行うための操作部と、前記各種情報を記憶する内部メモリと、外部メモリの書き込みおよび読み出しを行う外部メモリインターフェース部と、前記入力操作に応じて、前記内部メモリと前記外部メモリインターフェース部に接続された前記外部メモリとの間で前記各種情報を授受させる情報処理部と、を備え、前記情報処理部は、一方の前記空気調和機に対応して設けられた一方のリモートコントローラにおいて、前記入力操作により設定された前記空気調和機の運転モード、設定風量、設定温度、および週間スケジュール設定を含む当該空気調和機の設定内容に関する設定情報を前記内部メモリに保存し、前記操作部からの設定情報格納指示に基づいて、前記内部メモリに保存された前記設定情報を前記外部メモリに格納し、他方の前記空気調和機に対応して設けられた他方のリモートコントローラにおいて、前記操作部からの設定情報保存指示に基づいて、前記一方のリモートコントローラにより前記外部メモリに格納された前記設定情報を前記内部メモリに保存することを特徴とする。
【発明の効果】
【０００７】
本発明によれば、複数台の空気調和機の設定を容易とし、その設定に要する時間を短縮することができる、という効果を奏する。
【図面の簡単な説明】
【０００８】
【図１】図１は、実施の形態１かかるリモートコントローラを適用した空気調和システムの一例を示す図である。
【図２】図２は、実施の形態１にかかるリモートコントローラの概観の一例を示す図である。
【図３】図３は、実施の形態１にかかるリモートコントローラの機能ブロックの一例を示す図である。
【図４】図４は、実施の形態１にかかるリモートコントローラにおいて設定した設定情報を外部メモリに格納する手順の一例を示す処理フローを示す図である。
【図５】図５は、外部メモリに格納された設定情報を他のリモートコントローラの内部メモリに保存する手順の一例を示す処理フローを示す図である。
【図６】図６は、実施の形態１にかかるリモートコントローラを適用した空気調和機の設定情報の作成を支援する空気調和システムの一例を示す図である。
【図７】図７は、外部編集装置を用いて、実施の形態１にかかるリモートコントローラを適用した空気調和機の設定情報を作成する手順の一例を示す処理フローを示す図である。
【図８】図８は、空気調和機本体からリモートコントローラに送信される運転情報の一例を示す図である。
【図９】図９は、実施の形態２にかかるリモートコントローラを適用した空気調和機のエラー履歴情報を外部メモリに格納する手順の一例を示す処理フローを示す図である。
【図１０】図１０は、実施の形態３にかかるリモートコントローラを用いた空気調和機の試験手順の一例を示す処理フローを示す図である。
【発明を実施するための形態】
【０００９】
以下に添付図面を参照し、本発明の実施の形態にかかる空気調和機のリモートコントローラについて説明する。なお、以下に示す実施の形態により本発明が限定されるものではない。
【００１０】
実施の形態１．
図１は、実施の形態１にかかるリモートコントローラを適用した空気調和システムの一例を示す図である。図１に示す空気調和システムでは、空気調和機１０は、室外機１１と室内機１２ａ，１２ｂとを含み構成され、有線あるいは赤外線等の無線の通信手段１３によりリモートコントローラ１００に接続されている。また、空気調和機２０は、室外機２１と室内機２２ａ，２２ｂとを含み構成され、同様に有線あるいは赤外線等の無線の通信手段２３によりリモートコントローラ１１０に接続されている。各室内機１２ａ，１２ｂ，２２ａ，２２ｂは、所定の各部屋の内部（室内）に設けられ、各室外機１１，２１は、各部屋の外部（室外）に設けられる。
【００１１】
外部メモリ２００は、例えば、ＳＤカード等のメモリカードやＵＳＢメモリ等の可搬な外部記憶媒体であり、リモートコントローラ１００，１１０の双方において、書き込みおよび読み出しが可能である。また、この外部メモリ２００内のデータは、例えば、外部メモリ２００とのインターフェースを有するＰＣ等の外部編集装置３００を用いて編集することも可能である。
【００１２】
図２は、実施の形態１にかかるリモートコントローラの概観の一例を示す図である。図２（ａ）は、リモートコントローラ１００，１１０の正面図を示し、図２（ｂ）は、リモートコントローラ１００，１１０の側面図を示している。図２に示すように、リモートコントローラ１００，１１０は、それぞれ表示部５０、操作部５１、および外部メモリ挿入口５２を備えている。外部メモリ挿入口５２は、例えばＳＤカードやＵＳＢメモリ等の外部メモリ２００を挿入することができる。
【００１３】
図３は、実施の形態１にかかるリモートコントローラの機能ブロックの一例を示す図である。図３に示すように、リモートコントローラ１００，１１０は、例えばマイクロコンピュータ等により構成される情報処理部３０と、表示部５０と、操作部５１と、内部メモリ３１と、通信部３２と、外部メモリインターフェース部３３とを備えている。
【００１４】
外部メモリインターフェース部３３は、外部メモリ挿入口５２に挿入された外部メモリ２００に対する書き込みおよび読み出しを行うためのインターフェースである。
【００１５】
表示部５０は、例えば液晶表示装置やＬＥＤ表示装置等により構成され、空気調和機１０，２０の運転モード、設定風量、室内温度についての設定温度、あるいは、例えば一週間分のタイマー運転、停止の週間スケジュール設定等の空気調和機１０，２０の設定内容に関する情報（以下、「設定情報」という）や、例えば、室内温度等の空気調和機１０，２０本体から送信された空気調和機１０，２０の運転状態に関する情報（以下、「運転情報」という）が表示される。
【００１６】
操作部５１は、ユーザーが空気調和機１０，２０に関する各種指示や上述した設定情報等の入力操作を行うためのユーザーインターフェースである。また、内部メモリ３１は、上述した設定情報や運転情報等の各種情報が保存される。
【００１７】
通信部３２は、空気調和機１０，２０と各リモートコントローラ１００，１１０との間で有線あるいは無線による通信手段２３を介して双方向通信を行う。
【００１８】
情報処理部３０は、操作部５１からの指示に基づいて、表示部５０、内部メモリ３１、および外部メモリインターフェース部３３の制御や、上述した設定情報等の各種情報の処理を行う。
【００１９】
つぎに、実施の形態１にかかるリモートコントローラの動作について、図１〜図４を参照して説明する。図４は、実施の形態１にかかるリモートコントローラにおいて設定した設定情報を外部メモリに格納する手順の一例を示す処理フローを示す図である。また、図５は、外部メモリに格納された設定情報を他のリモートコントローラの内部メモリに保存する手順の一例を示す処理フローを示す図である。図４に示す例では、空気調和機１０に対応するリモートコントローラ１００において空気調和機１０の設定を行い、その設定情報を外部メモリ２００に格納する例を示し、図５に示す例では、空気調和機２０に対応するリモートコントローラ１１０に外部メモリ２００を移動して、外部メモリ２００に格納された設定情報をリモートコントローラ１１０の内部メモリ３１に保存する例を示している。
【００２０】
ユーザーが空気調和機１０に対応するリモートコントローラ１００の表示部５０を視認しつつ操作部５１を操作し、空気調和機１０に関する設定情報（例えば週間スケジュール設定）を入力すると、情報処理部３０は、その設定情報を逐次内部メモリ３１に保存する（ステップＳＴ１０１）。
【００２１】
設定が終了した後に、ユーザーがリモートコントローラ１００の操作部５１を操作し、内部メモリ３１に保存された設定情報の外部メモリ２００への格納を指示（以下、「設定情報格納指示」という）すると、情報処理部３０は、設定情報格納指示に基づいて、内部メモリ３１に保存された設定情報を読み出し（ステップＳＴ１０２）、その設定情報を外部メモリ２００に格納し（ステップＳＴ１０３）、図４に示す設定情報の外部メモリ２００への格納処理フローを終了する。
【００２２】
ユーザーは、リモートコントローラ１００の外部メモリインターフェース部３３から外部メモリ２００を取り外し、空気調和機２０に対応するリモートコントローラ１１０に外部メモリ２００を接続して、続いて、図５に示す設定情報の内部メモリ３１への保存処理フローに移行する。ユーザーがリモートコントローラ１１０の操作部５１を操作し、外部メモリ２００に格納された設定情報の保存を指示（以下、「設定情報保存指示」という）すると、情報処理部３０は、設定情報保存指示に基づいて、外部メモリ２００に格納された設定情報を読み出し（ステップＳＴ２０１）、リモートコントローラ１１０の内部メモリ３１に保存する（ステップＳＴ２０２）。
【００２３】
そして、ユーザーは、空気調和機１０と同様の設定にしたい空気調和機が他にもある場合には、リモートコントローラ１１０の外部メモリインターフェース部３３から外部メモリ２００を取り外し、その空気調和機に対応するリモートコントローラに外部メモリ２００を接続して、図５に示す設定情報の内部メモリ３１への保存処理フローを繰り返し実施する。
【００２４】
なお、図４および図５では、空気調和機１０に対応するリモートコントローラ１００の設定情報を空気調和機２０に対応するリモートコントローラ１１０に保存する例について説明したが、例えば、空気調和機１０に対応するリモートコントローラ１００の外部メモリインターフェース部３３から外部メモリ２００を取り外した後に、外部編集装置３００を用いて外部メモリ２００内のデータ（ここでは、設定情報）を編集し、その編集した設定情報を各リモートコントローラ１００，１１０内の内部メモリ３１に保存することも可能である。また、外部編集装置３００を用いて設定情報を作成して外部メモリ２００に格納し、その作成した設定情報をリモートコントローラ１００，１１０内の内部メモリ３１に保存することも可能である。
【００２５】
つぎに、外部編集装置３００を用いて、実施の形態１にかかるリモートコントローラ１００を適用した空気調和機１０の設定情報の作成を支援する手法について、図６を参照して説明する。図６は、実施の形態１にかかるリモートコントローラを適用した空気調和機１０の設定情報の作成を支援する空気調和システムの一例を示す図である。なお、図１に示す空気調和システムと同一あるいは同等の構成部には同一の符号を付して、その詳細な説明は省略する。
【００２６】
外部編集装置３００は、図６に示すように、空気調和機１０の設定情報の作成を支援するソフトウェア（以下、「設定情報作成支援ソフトウェア」という）５００が導入されているか、あるいは、例えば有線ＬＡＮ、無線ＬＡＮあるいはインターネット等のネットワーク４００を介してサーバー６００に接続され、サーバー６００内の空気調和機１０の設定情報の作成を支援するホームページ（以下、「設定情報作成支援ホームページ」という）６００ａにアクセスしている。
【００２７】
図７は、外部編集装置を用いて、実施の形態１にかかるリモートコントローラを適用した空気調和機の設定情報を作成する手順の一例を示す処理フローを示す図である。
【００２８】
ユーザーが外部編集装置３００の入力装置（図示せず）を用いて設定情報作成支援ソフトウェアの起動操作、あるいは設定情報作成支援ホームページへのアクセス操作を行うと、外部編集装置３００は、設定情報作成支援ソフトウェア５００を起動するか、あるいは、サーバー６００内の設定情報作成支援ホームページ６００ａにアクセスし（ステップＳＴ３０１）、設定情報作成支援ソフトウェア５００あるいは設定情報作成支援ホームページ６００ａの環境情報入力画面を表示する（ステップＳＴ３０２）。
【００２９】
そして、ユーザーが外部編集装置３００の入力装置（図示せず）を用いて、その入力画面上において、例えば、空気調和機１０が設置される環境が飲食店である場合には、その飲食店の営業時間、また、例えば、空気調和機１０が設置される環境が学校の講義室である場合には、その講義室における開講時間等、空気調和機１０が設置される環境に関する情報（以下、「環境情報」という）を入力すると、設定情報作成支援ソフトウェア５００あるいは設定情報作成支援ホームページ６００ａから、入力された環境情報に応じた設定情報例（例えば、週間スケジュール例等）が提供され（ステップＳＴ３０３）、外部編集装置３００は、その設定情報例を自身の表示部（図示せず）に表示する（ステップＳＴ３０４）。
【００３０】
その設定情報例を基に、ユーザーが外部編集装置３００の入力装置（図示せず）を用いて詳細設定を行い、設定情報の格納操作を実施すると、外部編集装置３００ａは、その設定情報を外部メモリ２００に格納し（ステップＳＴ３０５）、図７に示す外部編集装置３００による設定情報の作成処理フローを終了する。
【００３１】
ユーザーは、外部編集装置３００から外部メモリ２００を取り外し、空気調和機１０に対応するリモートコントローラ１００に外部メモリ２００を接続し、続いて、図５に示す設定情報の内部メモリ３１への保存処理フローに移行する。なお、図５に示すステップＳＴ２０２において、外部メモリ２００に格納された設定情報をリモートコントローラ１００の内部メモリ３１に保存した後に、その設定情報に対して、ユーザーがさらに詳細な設定を行うことも可能である。
【００３２】
そして、ユーザーは、その設定情報を適用したい空気調和機が他にもある場合には、リモートコントローラ１００の外部メモリインターフェース部３３から外部メモリ２００を取り外し、その設定情報を適用したい空気調和機に対応するリモートコントローラに外部メモリ２００を接続して、図５に示す設定情報の内部メモリ３１への保存処理フローを繰り返し実施する。
【００３３】
以上説明したように、実施の形態１の空気調和機のリモートコントローラによれば、可搬な外部記憶媒体である外部メモリの書き込みおよび読み出しが可能な外部メモリインターフェース部を備え、設定情報格納指示に基づいて、リモートコントローラで設定した設定情報を外部メモリに格納すると共に、設定情報保存指示に基づいて、他のリモートコントローラで設定した設定情報を読み出して内部メモリに保存できるようにしたので、複数台の空気調和機の設定が容易となり、その設定に要する時間を短縮することができる。
【００３４】
また、外部編集装置を用いて設定情報を作成あるいは編集することができるので、リモートコントローラのみを用いて設定情報を作成あるいは編集するよりも設定情報の作成あるいは編集作業が容易となる。
【００３５】
また、外部編集装置に設定情報作成支援ソフトウェアを導入するか、あるいは、例えば有線ＬＡＮ、無線ＬＡＮあるいはインターネット等のネットワークを介して接続されたサーバー内の設定情報作成支援ホームページにアクセスし、設定情報作成支援ソフトウェアあるいは設定情報作成支援ホームページから空気調和機が設置される環境に応じて提供された設定情報例を基に、ユーザーが外部編集装置を用いて詳細設定を行うことにより、設定情報をさらに容易且つ適切に設定することが可能となり、その設定に要する時間をさらに短縮できると共に、ユーザーの使用環境に適した空気調和機の運転が可能となる。
【００３６】
実施の形態２．
実施の形態１では、外部メモリを用いてリモートコントローラで設定した設定情報あるいは外部編集装置により作成あるいは編集した設定情報を複数台の空気調和機のリモートコントローラに適用する例について説明したが、実施の形態２では、空気調和機本体から送信される運転情報と、故障あるいはエラーが発生したことを示すエラー情報とを、エラー履歴情報として外部メモリに格納して、空気調和機の故障あるいはエラーの発生原因の解析支援を行う例について説明する。なお、実施の形態２にかかるリモートコントローラ１００，１１０の概観および機能ブロックの構成、ならびに、リモートコントローラ１００，１１０が適用される空気調和システムについては、実施の形態１と同様であるので、ここではその詳細な説明は省略する。
【００３７】
図８は、空気調和機本体からリモートコントローラに送信される運転情報の一例を示す図である。図８に示すように、空気調和機１０，２０本体からリモートコントローラ１００，１１０に送信される運転情報としては、例えば、設定温度情報、室内温度情報、外気温情報、風量情報、あるいは風向情報等が含まれる。この運転情報は、所定間隔（ここでは、１分間隔）で送信され、送信された時刻毎に外部メモリ２００に保存される。また、空気調和機１０，２０に故障あるいはエラーが発生した場合には、上述した運転情報と共に、エラー情報が空気調和機１０，２０本体からリモートコントローラ１００，１１０に送信される。
【００３８】
図９は、実施の形態２にかかるリモートコントローラを適用した空気調和機のエラー履歴情報を外部メモリに格納する手順の一例を示す処理フローを示す図である。ここでは、実施の形態２にかかるリモートコントローラを適用した空気調和機のエラー履歴情報を外部メモリに格納する手順について、図１、図３、図９を参照して説明する。
【００３９】
情報処理部３０は、空気調和機１０，２０本体から所定間隔（ここでは、１分毎）で送信される運転情報を、外部メモリ２００に逐次保存する（ステップＳＴ４０１）。なお、外部メモリ２００には、一定期間分の運転情報を保存する領域が設定され、この領域の上限を超えると、古い運転情報から随時新しい運転情報に上書きされる。
【００４０】
空気調和機１０，２０本体からのエラー情報を受信すると（ステップＳＴ４０２）、情報処理部３０は、そのエラー情報と、エラー情報を受信した時刻を含む所定期間分の運転情報（例えば、エラー情報を受信した時刻以前の１０分間の運転情報）とを、エラー履歴情報として、新しい運転情報に上書きされないように外部メモリ２００に格納し（ステップＳＴ４０３）、図９に示すエラー履歴情報の格納処理フローを終了する。
【００４１】
以上説明したように、実施の形態２の空気調和機のリモートコントローラによれば、空気調和機のエラー履歴情報を外部メモリに逐次するようにしたので、故障あるいはエラーの発生した状況を容易に確認することができ、故障あるいはエラーの発生原因の解析に要する工数および時間を削減することができる。
【００４２】
また、このようにして得た故障あるいはエラーの発生原因を以後の製品開発等に活用することができる。
【００４３】
実施の形態３．
空気調和機の製品開発において、同一のハードウェア構成で、例えば、出力やファンスピード等の仕様の異なる複数種の空気調和機を製品化する場合がある。このような空気調和機を製造過程において試験する際に、一台の空気調和機において複数種の仕様で試験を行う必要がある場合がある。このような場合、室内機の制御基板を取り外し、プログラムの書き換えを行うのが一般的である。実施の形態４では、外部メモリに複数種の仕様情報を格納しておき、操作部から指定された仕様情報を空気調和機に送信して、室内機の制御基板のプログラムを書き換えることにより、各仕様毎の試験を行う例について説明する。なお、実施の形態３にかかるリモートコントローラ１００，１１０の概観および機能ブロックの構成、ならびに、リモートコントローラ１００，１１０が適用される空気調和システムについては、実施の形態１と同様であるので、ここではその詳細な説明は省略する。
【００４４】
図１０は、実施の形態３にかかるリモートコントローラを用いた空気調和機の試験手順の一例を示す処理フローを示す図である。ここでは、実施の形態３にかかるリモートコントローラを用いた空気調和機の試験手順について、図３、図６、図１０を参照して説明する。
【００４５】
作業者が外部編集装置３００の入力装置（図示せず）を用いて複数種の仕様情報をテーブル化した仕様情報テーブルを作成し、仕様情報テーブルの格納操作を実施すると、外部編集装置３００は、外部メモリ２００にその仕様情報テーブルを格納する（ステップＳＴ５０１）。
【００４６】
作業者が外部編集装置３００から外部メモリ２００を取り外してリモートコントローラ１００に外部メモリ２００を接続し、操作部５１を操作して所望の仕様情報を指定して仕様情報の送信を指示（以下「仕様情報送信指示」という）すると、情報処理部３０は、仕様情報送信指示に基づいて、外部メモリ２００に格納された仕様情報テーブルから指定された仕様情報を読み出し（ステップＳＴ５０２）、通信部３２から通信手段１３，２３を介して試験対象の空気調和機１０，２０に送信する（ステップＳＴ５０３）。
【００４７】
試験対象の空気調和機１０，２０は、受信した仕様情報に基づいて、室内機の制御基板のプログラムを書き換える（ステップＳＴ５０４）。
【００４８】
作業者がリモートコントローラ１００，１１０の操作部５１を操作して試験の実施を指示することにより、試験対象の空気調和機１０，２０の試験が実施される（ステップＳＴ５０５）。試験の実施後、試験対象の空気調和機１０，２０の試験を終了する場合には（ステップＳＴ５０６；Ｙｅｓ）、図１０に示す試験処理フローを終了する。試験の実施後、引き続き異なる仕様情報に関する試験を行う場合には（ステップＳＴ５０６；Ｙｅｓ）、ステップＳＴ５０２に戻り、ステップＳＴ５０２〜ステップＳＴ５０６の処理を繰り返す。
【００４９】
以上説明したように、実施の形態３の空気調和機のリモートコントローラによれば、外部メモリに複数種の仕様情報を格納しておき、指定された仕様情報を空気調和機に送信して、室内機の制御基板のプログラムを書き換えて試験を実施するようにしたので、異なる仕様で空気調和機の試験を行う際の工数および時間を削減することができ、効率よく試験を行うことができる。
【００５０】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５１】
１０，２０  空気調和機
１１，２１  室外機
１２ａ，１２ｂ，２２ａ，２２ｂ  室内機
１３，２３  通信手段
３０  情報処理部
３１  内部メモリ
３２ 通信部
３３ 外部メモリインターフェース部
５０  表示部
５１  操作部
５２  外部メモリ挿入口
１００，１１０  リモートコントローラ
２００  外部メモリ
３００  外部編集装置
４００  ネットワーク
５００  設定情報作成支援ソフトウェア
６００  サーバー
６００ａ  設定情報作成支援ホームページ
【図１】
0005575016.tif 000002
【図２】
0005575016.tif 000003
【図３】
0005575016.tif 000004
【図４】
0005575016.tif 000005
【図５】
0005575016.tif 000006
【図６】
0005575016.tif 000007
【図７】
0005575016.tif 000008
【図８】
0005575016.tif 000009
【図９】
0005575016.tif 000010
【図１０】
0005575016.tif 000011